(57)【特許請求の範囲】
【請求項１】
梱包体（８１）のコーナー外面に接して滑らせる山形定規（４２）の両翼に、貫通孔（４６）と刃先を調節するノッチ（４７）とを設けたカッター保持部（４３）を設け、このカッター保持部（４３）にカッター挟持体（４５）を抜き差し可能にしてなる開梱用カッター（４０）において、
上記カッター保持部（４３）とカッター挟持体（４５）との間に、カッター挟持体（４５）の抜け止め手段（７０）を設け、そのカッター挟持体（４５）の抜け止め手段（７０）は、上記カッター保持部（４３）とカッター挟持体（４５）との間に閂（７１）を摺動可能に配設し、該閂（７１）を上記カッター保持部（４３）の外面に設けたノブ（７２）により操作することを特徴とする開梱用カッター。
【請求項２】
上記閂（７１）とノブ（７２）は、上記カッター保持部（４３）の角孔（７４）を貫通する角軸（７３）により繋がれて一体となっており、上記ノブ（７２）の裏面に、上記角孔（７４）の入り口に嵌まるノブ（７２）の振れ止め用突起（７５）を設けたことを特徴とする請求項１に記載の開梱用カッター。
【発明の詳細な説明】
【０００１】
【発明の属する技術分野】
この発明は、カートンにより包装された商品、特に一個のカートンに多数の商品を梱包している梱包体の開梱に適した開梱用カッターに関する。
【０００２】
【従来の技術】
複数の商品をカートンに纏めて梱包した商品は、流通段階ではカートンを開梱して受注量に応じて仕分けし発送し、小売店では開梱して商品を取り出し陳列されるのが一般的である。
【０００３】
ところで、小売店でも大型量販店では省力化を目的として陳列しないで、カートンの上部を開梱した状態で平積みし、安売り感を引き出すような商い法が普及してきている。
【０００４】
上記のような状況のもとで、カートンの上部を切り開き開梱することが多くなり、図１１のように一般的なカッター８２でカートン８１の上部を切り開く作業を行うとき、内部の商品Ｓをカッターが瑕つけてしまう恐れがあり、また、作業者が手を滑らして怪我をする恐れがあり、さらに、切り口を綺麗に切り開き開梱することは困難である。
【０００５】
本出願人は、カートンの上部を正確に、かつ内部の商品を瑕つけることなく切断して開梱できる用具として特願２００１−６３６９３号（特開２００１−３２２６１５号）で「山形定規の両翼に、貫通孔と刃先を調節するノッチを有するカッター保持部を設け、このカッター保持部に装填するカッター挟持体を付設してなる開梱用カッター」を提案した。
【０００６】
【発明が解決しようとする課題】
上記提案により、カートンのコーナーに沿って正確に、かつ内部の商品を瑕付けることがなく切断して開梱でき、開梱の際に心配されていた切創などがなく作業の安全を確保し、作業能率を向上できるようになった。
【０００７】
しかし、上記提案の開梱用カッターを繰り返し使用していると、刃先に働く推力によってカッター挟持体（以下、単に挟持体という）が、カッター保持部（以下、単に保持部という）から抜け出してくる問題があることが分かった。
【０００８】
上記状況に鑑みこの発明は、先に提案した開梱用カッターの長所を損なうことなく、繰り返し使用してもカッターが挟持体とともに保持部から抜け出すことのない開梱用カッターを提供することを課題とする。
【０００９】
【課題を解決するための手段】
上記課題を解決するためにこの発明は、梱包体のコーナー外面に接して滑らせる山形定規の両翼に、貫通孔と刃先を調節するノッチとを設けた保持部を設け、この保持部に挟持体を抜き差し可能にしてなる開梱用カッターにおいて、上記保持部と挟持体との間に、挟持体の抜け止め手段を設けてなる構成を採用したもので、具体的には、上記挟持体の抜け止め手段は、上記保持部と挟持体との間に閂を摺動可能に配設し、該閂を上記保持部の外面に設けたノブにより操作できるような構成を採用したものである。
【００１０】
上記の如く構成するこの発明によれば、カートンのコーナーに沿って正確に開梱でき、内部の商品を瑕付けることもなく、切創の心配もなく安全に能率よく開梱できるのは勿論、繰り返し使用しているうちに、カッターが挟持体とともに抜け出すこともなくなる。
【００１１】
【発明の実施の形態】
次に、この発明の実施形態を図面を参照しながら説明する。図１に示すように、プラスチックの成形体の山形定規４２、保持部４３、カッター箱４４、挟持体４５および抜け止め手段７０からなり、山形定規４２の片端両翼に保持部４３が一体に設けられ、保持部４３には挟持体４５を受け入れる貫通孔４６が設けられ、該貫通孔４６には挟持体４５に挟まれたカッター４８（図２参照）の刃先を調節するノッチ４７が設けられている。
【００１２】
予備カッター箱４４は、内部にカッター４８の収納区画６８（６８a は新品カッター収納区画、６８b は使用済カッター収納区画）、バネ片４９、軸受け５０とそれに支承され、バネ５１により付勢された天秤５２、天秤５２と一体のフック５３と予備カッター箱４４の外に突き出た摘まみ５４が配設されている。
【００１３】
予備カッター箱４４には、蓋４１がヒンジ５５ａにより回動自在に取り付けられ上記バネ片４９により常に開く方向に付勢され、上記フック５３は蓋４１の内面に形成された掛け爪５６に引っ掛かるようになっている。
【００１４】
図２に示すように、挟持体４５はプラスチックを射出成形してなり、カッター４８を受け入れる窪み５７（図３（ｂ）参照）と、位置決め用の二個の突起５８およびこの突起を受け入れる孔５９とΩ状バネ６０が嵌まる窪み６１と、挟持体４５全体を開くための切り欠き６２とを設け、カッター４８を挟まない部分は肉厚を大きくした段部６３a を形成し、カッター４８を挟む部分は逆に凹んだ段部６３b を形成した二枚の蝶番６４がヒンジ５５b で繋がった状態に形成されている。
【００１５】
カッター４８を受け入れる窪み５７と突起５８にカッター４８を嵌め、Ω状バネ６０を窪み６１に嵌めて蝶番６４を折り畳むと図２（ａ）のようになり、このとき図３（ｂ）に見られるように蝶番６４の対向面は互いに向き合って嵌まり合うようになり、Ω状バネ６０は外側に若干突き出るようになっている。
【００１６】
カッター４８を挟持した挟持体４５は、図３に示すように保持部４３に装填されるが、このとき凹段部６３b が保持部４３の凸軌道６７に係合して横揺れを規制し、Ω状バネ６０がノッチ４７に嵌まって刃先を開梱作業状態と収納状態の二段階に調節できるようにしている。保持部４３は山形定規１２の両翼に設けられて、使用者が右利き・左利きのどちらでも使えるようになっている。
【００１７】
図４乃至図６は、カッター４８を挟持体４５を介して保持部４３に装填して使用できる状態を、図７は開梱作業状態を示しノッチ４７a にΩ状バネ６０が嵌まってカッター４８が大きく突き出しカートン８１の上部を切り開き開梱しており、開梱作業が終了するとΩ状バネ６０をノッチ４７b に嵌めてカッター４８を後退させ安全状態にする。
【００１８】
カッター４８が磨耗したら図２（ｂ）のように挟持体４５の蝶番６４を開いてカッター４８を裏返して突起５８に嵌め保持部４３に装填して使用し、さらに磨耗すると予備カッター箱４４内の予備カッターと取り替える。
【００１９】
ここで、挟持体４５と共に保持部４３に装填したカッター４８は、山形定規４２に対して傾斜しているので抜け方向の推力が働きカッター４８が挟持体４５と共に後退する恐れがあるので、挟持体４５の抜け止め手段７０として、図３乃至図５および図８のように保持部４３と挟持体４５との間に亘って閂７１を摺動可能に配設し、この閂７１を上記保持部４３の外面に設けたノブ７２により操作するようにしている（この抜け止め手段７０は、山形定規４２の両翼の保持部４３に付け替え可能としている）。
【００２０】
閂７１とノブ７２は角軸７３で繋がれて一体になり、保持部４３への装着は図３（ａ）および図８（ａ）のように角孔７４に閂７１を嵌め入れて９０度回転させると図１（ｂ）、図４（ａ）および図８（ｂ）のようになり、ノブ７２を摺動させると閂７１も摺動して保持部４３と挟持体４５との間に嵌まり抜け止め手段７０が構成される。
【００２１】
角軸７３により繋がれ一体になった閂７１とノブ７２は、保持体４３に装着したとき左右回転方向に振れる恐れがあるが、ノブ７２の裏側に僅かに突き出た振れ止め用突起７５が設けられ、この振れ止め用突起７５が角孔７４の入り口に嵌まり、抜け止め手段７０が振れないようになっている。なお、上記振れ止め用突起７５は、僅かに突き出ているだけであるから、閂７１を嵌め入れて９０度回転させるときノブ７２が反りかえることにより回転が可能になる。
【００２２】
なお、上記閂に替えて保持部と挟持体との間にピン孔を穿設し、このピン孔にピンを差込むようにしてもよい。
【００２３】
図１０は、この発明に係る開梱用カッターでカートン８１を開梱した状態を示し上部コーナーに沿って綺麗に切り開かれている。
【００２４】
なお、上記開梱用カッターは、プラスチックの射出成形にて製作したが、アルミニウムまたはその合金でダイキャストにより成形することもできる。
【００２５】
【発明の効果】
以上説明したようにこの発明によれば、カッターの付いた山形定規をカートンの稜線に沿って滑らせるだけで安全・確実に、素早く、内部の商品を瑕つけることなく切り込みを入れて開梱できるようになり、繰り返し使用していても保持部に装填したカッターが抜けてくる心配もなくなった。
【図面の簡単な説明】
【図１】（ａ）この発明に係る開梱用カッターの一部切り欠き正面図
（ｂ）同予備カッター箱を開いた状態の斜視図
【図２】（ａ）挟持体の斜視図
（ｂ）同蝶番を開いた状態の平面図
【図３】（ａ）挟持体の装填説明図
（ｂ）挟持体装填後の断面図
【図４】開梱用カッターの斜視図
【図５】同側面図
【図６】同裏から見た斜視図
【図７】使用状態説明図
【図８】挟持体の抜け止め手段詳細図
【図９】抜け止め手段の詳細で（ａ）は上面図、（ｂ）正面図、（ｃ）裏面図、（ｄ）右側面図
【図１０】開梱後のカートンの斜視図
【図１１】従来の開梱状態説明図
【符号の説明】
４０  開梱用カッター
４１  蓋
４２  山形定規
４３  カッター保持部（保持部）
４４  カッター箱
４５  カッター挟持体（挟持体）
４６  貫通孔
４７  ノッチ
４７a   ノッチ（開梱状態）
４７b   ノッチ（収納状態）
４８  カッター
４９  バネ片
５０  軸受け
５１  バネ
５２  天秤
５３  フック
５４  摘まみ
５５  軸
５５a   ヒンジ（蓋の）
５５b   ヒンジ（蝶番の）
５６  爪
５７  窪み（カッターが嵌まる）
５８  突起
５９  孔
６０  Ω条バネ
６１  窪み（Ω条バネが嵌まる）
６２  切り込み
６３a   凸段部
６３b   凹段部
６４  蝶番
６５  凸条
６６  凹溝
６７  凸軌道
６８  収納区画
７０  抜け止め手段
７１  閂
７２  ノブ
７３  角軸
７４  角孔
７５  振れ止め用突起
８１  カートン
８２  カッター
【図１】
0003990918.tif 000002
【図２】
0003990918.tif 000003
【図３】
0003990918.tif 000004
【図４】
0003990918.tif 000005
【図５】
0003990918.tif 000006
【図６】
0003990918.tif 000007
【図７】
0003990918.tif 000008
【図８】
0003990918.tif 000009
【図９】
0003990918.tif 000010
【図１０】
0003990918.tif 000011
【図１１】
0003990918.tif 000012